(57)【要約】  本発明は、単位商品のための保管シャフトを備える取り次ぎ装置、及び単位商品を出力するためのプロセスに関する。既知の取り次ぎ装置では、保管シャフトと両立しがたい単位商品は、保管できないという問題がある。本発明による取り次ぎ装置は、水平棚表面（１１）を有する第１棚列（１０）、及び保管シャフト（２２）を備える、上下に配設された複数の棚表面（２１）を有する少なくとも１つの第２棚列（２０）と、通路（３０）であって、前記通路に移動可能に配設された動作装置を有する、第１棚列（１０）と第２棚列（２０）との間に形成された通路（３０）と、入力装置（６０，６１）と、出力装置（７０）と、補助出力装置（８０）とを備える。動作ユニット（４０）は、単位商品を水平棚表面（１１）の上に入力するための、及び／又は単位商品を水平棚表面（１１）から出力するための、並びに商品を保管シャフト（２２，２２’）の中に詰めるための把持装置（５０）を備え、動作ユニット（４０）と結合された制御ユニット（９０）は、列になって置かれている同一の単位商品を、水平棚表面（１１）から出力すると共に、前記単位商品を保管シャフト（２２）の中に入力するために、且つ、水平棚表面（１１）の上に位置する１つ以上の単位商品を出力すると共に、前記単位商品を補助出力装置（８０）へ移送するために、構成される。【選択図】図１
2018501168.tif 000002
【特許請求の範囲】
【請求項１】
単位商品のための取り次ぎ装置であって、
上下に配設された複数の棚表面（１１）を備える少なくとも１つの第１棚を有する少なくとも１つの第１棚列（１０）であって、第１棚列（１０）の各々は水平面内に延在する、少なくとも１つの第１棚列（１０）と、
上下に配設された複数の棚表面（２１）を備える少なくとも１つの第２棚を有する少なくとも１つの第２棚列（２０）であって、第２棚列（２０）の各々は水平面内に延在する、少なくとも１つの第２棚列（２０）と、
前記第１棚列（１０）と前記第２棚列（２０）との間に形成された通路（３０）であって、通路（３０）の中で、動作ユニット（４０）が水平及び垂直に進むことが可能である、通路（３０）と、
前記取り次ぎ装置の中に単位商品を移動させるための少なくとも１つの入力装置（６０，６１）であって、少なくとも１つの入力装置（６０，６１）から前記動作ユニットが単位商品を除去できる、少なくとも１つの入力装置（６０，６１）と、
前記第２棚列（２０）から単位商品を出力するための少なくとも１つの出力装置（７０）と、
補助出力経路に沿って、前記動作ユニット（４０）によって保持された単位商品を出力するための少なくとも１つの補助出力装置（８０）と、
を備え、
複数の並列保管シャフト（２２，２２’）が前記第２棚列の各棚表面（２１）上に形成され、前記保管シャフトの各々は、シャフト端部（２４）でゲート（２３）を備え、前記ゲートは、前記保管シャフト（２２，２２’）の中に置かれている単位商品を保持すると共に解放し、前記単位商品は、前記出力装置（７０）を経由して、主出力経路に沿って、前記シャフトから出力されることが可能であり、
前記動作ユニット（４０）は、単位商品を前記水平棚表面（１１）の上に入力するための、及び／又は単位商品を前記水平棚表面（１１）から出力するための、並びに前記単位商品を前記保管シャフト（２２，２２’）の中に詰めるための、把持装置（５０）を備え、且つ、
制御ユニット（９０）は、前記動作ユニット（４０）に結合され、前記制御ユニットは、単位商品を入力すると共に出力するために前記動作ユニット（４０）を制御し、前記制御ユニットは、前記動作ユニットが制御可能であるように設計され、ここで制御可能であるというのは、前記水平棚表面（１１）から列になって置かれている同一の単位商品を除去することに対して、及びこれらの単位商品を前記保管シャフト（２２）の中に置くことに対してであり、並びに、前記水平棚表面（１１）の上に位置する１つ以上の単位商品を出力することに対して、及びこれらの単位商品を前記補助出力装置（８０）へ移送することに対してであることを特徴とする、取り次ぎ装置。
【請求項２】
請求項１に記載の取り次ぎ装置であって、
前記第２棚列（２０）の前記棚表面（２１）は、前記通路（３０）から下方に離れて傾斜するように設計されることを特徴とする、取り次ぎ装置。
【請求項３】
請求項１又は請求項２に記載の取り次ぎ装置であって、
前記把持装置（５０）は、向かい合う負荷縁部（５２，５３）を有する水平保持表面（５１）と、単位商品を前記水平棚表面（１１）の上に入力すると共に単位商品を前記水平棚表面（１１）から出力するための把持部（５４ａ，５４ｂ）と、単位商品を前記保持表面の上に押し込むための押し込み装置（５５）とを備え、単位商品のための輸送経路は、前記負荷縁部（５２，５３）の間に形成され、且つ前記保持表面（５１）は、前記通路（３０）の幅全体を横切ることを特徴とする、取り次ぎ装置。
【請求項４】
請求項３に記載の取り次ぎ装置であって、
前記押し込み装置（５５）は、前記保持表面（５１）上で反対方向に単位商品を移動させるための、２つの押し込み手段（５５ａ，５５ｂ）を備えることを特徴とする、取り次ぎ装置。
【請求項５】
請求項４に記載の取り次ぎ装置であって、
前記押し込み手段（５５ａ，５５ｂ）は、前記保持表面（５１）の切り込み（５１ａ）の中で、及び前記表面の下で移動され得ることを特徴とする、取り次ぎ装置。
【請求項６】
請求項４又は請求項５に記載の取り次ぎ装置であって、
押し込み手段（５５ａ，５５ｂ）は、負荷縁部（５２，５３）を越えて移動され得る押し込み指部（５６ａ，５６ｂ）を備えることを特徴とする、取り次ぎ装置。
【請求項７】
請求項１から請求項６のいずれか一項に記載の取り次ぎ装置であって、
前記第２棚列（２０）の傾斜した棚表面（２１）は、高さを変える保管シャフト（２２，２２’）が形成されるように配置されることを特徴とする、取り次ぎ装置。
【請求項８】
請求項１から請求項７のいずれか一項に記載の取り次ぎ装置であって、
前記補助出力装置（８０）は、前記第２棚列（２０）の棚表面（２１）上に形成されることを特徴とする、取り次ぎ装置。
【請求項９】
請求項８に記載の取り次ぎ装置であって、
前記補助出力装置（８０）は、ゲートを持たない保管シャフトとして設計されることを特徴とする、取り次ぎ装置。
【請求項１０】
請求項１から請求項９のいずれか一項に記載の取り次ぎ装置から単位商品を出力するためのプロセスであって、
前記制御手段は、出力されるべき前記少なくとも１つの単位商品が、シャフト商品（６）であるか否か、又は棚商品（７）であるか否かを決定し、前記決定は、出力要求に反応して生じ、
前記商品が棚商品である場合、前記出力要求に対応する数の単位商品が、前記動作ユニットによって掴まれ、且つ前記補助出力装置へ移送され、
前記商品がシャフト商品である場合、前記決定は、前記保管シャフトの中に、対応する数の単位商品が依然として保管されているかどうかによってなされ、且つ、
対応する数のものが前記保管シャフトの中に保管されている場合、前記出力要求に対応する数の単位商品が、前記出力装置の上に出力され、且つ、それによって、前記取り次ぎ装置から外へ移動され、又は、
対応する数のものが前記保管シャフトの中に保管されていない場合、水平棚表面上に保管され、且つ前記出力要求に対応する複数の単位総品が、前記動作ユニットによって掴まれ、そして、
前記出力要求に対応する数の単位商品が、出力されることを特徴とする、プロセス。
【請求項１１】
請求項１０に記載のプロセスであって、
前記保管シャフトの中に保管されていない前記単位商品は、
前記動作ユニットを前記補助出力装置まで移動させ、
前記出力要求に対応する数の単位商品を前記補助出力装置へ移送し、且つ前記単位商品を出力することによって、
出力されることを特徴とする、プロセス。
【請求項１２】
請求項１０に記載のプロセスであって、
前記保管シャフトの中に保管されていない前記単位商品は、
前記動作ユニットを保管シャフトへ移動させ、
前記保管シャフトの中の全ての単位商品を移送し、
前記出力要求に対応する数の単位商品が、前記出力装置の上に出力され得るように、前記傾斜した保管シャフト又は複数のシャフトのゲートを作動させることによって、
出力されることを特徴とする、プロセス。
【発明の詳細な説明】
【技術分野】
【０００１】
本発明は、単位商品、特に医薬品パッケージのための取り次ぎ装置、及び本発明による取り次ぎ装置を使用して単位商品を出力するためのプロセスに関する。
【背景技術】
【０００２】
自動化された取り次ぎ機器は、薬局においてしばしば使用されるが、その目的は、スペースが節約される方法で医薬品パッケージを保管することである。薬局に適用可能な既知の取り次ぎ装置では、医薬品パッケージは、無秩序に保管される。換言すれば、医薬品パッケージは、装置の中の予め決められた保管スペースに保管されるのではなく、むしろ適切な量のスペースを有する保管スペースに保管される。この方法では、余分な空き体積を避けることが可能であり、且つ表面エリアの１ｍ2あたりに保管される医薬品パッケージの数を、かなり増加させることが可能である。このシステムによって動作する取り次ぎ装置は、保管スペースを最適に割り当てる複雑な保管システムを含む。しかしながら、このようなやり方で動作する取り次ぎ装置は、非常に高い出力頻度（換言すれば、単位時間あたりの医薬品パッケージ）を有する医薬品分配センタ又は大きな薬局に対しては不適切であり、その理由は、無秩序に保管された医薬品パッケージを、十分速く出力できないからである。
【０００３】
それ故に、非常に高い出力頻度がある場合、使用される取り次ぎシステムは、いわゆるシャフトシステムを有するものであり、そのシステムでは、医薬品が選択的に保管される。各保管シャフトは、自身の下方端部に、動作ユニットによって制御可能なゲートを有し、そのゲートは、１つ以上の医薬品パッケージが、保管シャフトから放出されることを可能にする。選択的保管シャフトを有する取り次ぎ装置を使用して保管することが可能である異なる医薬品の数は、多くても選択的保管シャフトの数に対応する。そのような取り次ぎ装置の例は、特許文献１に開示されている。
【０００４】
しかしながら、保管シャフトを使用する取り次ぎ装置の不利な点は、もしある種のパッケージをシャフトの中に保管できない場合、医薬品パッケージを保管シャフトの中に保管できないということである。ここである種のパッケージとは、例えば、特別な形状のパッケージ、若しくは冷却される必要があるパッケージ、又は頻繁には調剤されないため、選択的シャフトの中での保管が意味をなさないようなパッケージである。
【先行技術文献】
【特許文献】
【０００５】
【特許文献１】独国特許出願第１９８１５８８３号
【発明の概要】
【発明が解決しようとする課題】
【０００６】
本発明の目的は、保管シャフトを使用し、且つ医薬品パッケージを保管すると共に出力することが可能である、取り次ぎ装置を提供することである。ここでの医薬品は、保管シャフトと両立できないもの、又は保管シャフトの中に保管される医薬品パッケージの出力頻度よりも大幅に低い出力頻度を有するものである。
【課題を解決するための手段】
【０００７】
この目的は、請求項１に記載の取り次ぎ装置によって達成される。本発明による取り次ぎ装置は、少なくとも１つの第１棚を有する少なくとも１つの第１棚列と、少なくとも１つの第２棚を有する少なくとも１つの第２棚列とを備える。第１棚は、上下に配設された複数の棚表面を有し、前記棚表面の各々は、水平面内に延在する。第２棚は、上下に配設された複数の棚表面を有し、前記第２棚表面の各々は、１つの面内に延在する。取り次ぎ装置が、１つの棚列あたり、複数の棚を備える場合、棚の全ては同一であるように設計することが可能であるが、しかし、例えば、異なる距離によって分離された棚表面を有する異なる棚が、取り付けられることもまた可能である。
【０００８】
第１棚列と第２棚列との間に通路が形成され、水平及び垂直に移動可能な動作ユニットが、対応する案内手段において通路の中に配設される。通路は、棚表面の端部（負荷縁部）によって画定され、前記端部は、通常、各棚列に対する垂直平面の中に位置し、その結果、対向する棚列の平面は、互いに対して平行に延びる。
【０００９】
本発明による取り次ぎ装置は、取り次ぎ装置の中に単位商品を移動させるための少なくとも１つの入力装置と、入力装置から単位商品を除去することが可能である動作ユニットと、とりわけ第２棚列から単位商品を出力することが可能である少なくとも１つの出力装置と、動作ユニットによって取り上げられた単位商品を、補助出力経路に沿って出力することが可能である少なくとも１つの補助出力装置とを更に備え、そこでは複数の平行な保管シャフトが、第２棚列の各棚表面上に形成され、保管シャフトの各々は、そのそれぞれの端部において、保管シャフトの中に置かれている単位商品を保持すると共に解放するためのゲートを有し、且つ前記シャフトから、単位商品を、出力装置を経由して、主出力経路に沿って出力することが可能である。
【００１０】
本発明による取り次ぎ装置の動作ユニットは、単位商品を水平棚表面の上へ入力する、且つ／又は単位商品を水平棚表面から出力すると共に、保管シャフトの中に単位商品を詰めるための、又は補助出力装置の上に商品を決まったルートで送るための把持装置を備え、これに加えて、動作ユニットに結合された制御器を備えるが、ここで制御器は、単位商品を入力すると共に出力することにおいて、動作ユニットを制御する。本発明によれば、制御ユニットは、次の目的に対して制御可能であるように設計される。その目的とは、動作ユニットが、列になって置かれている同一の単位商品を水平棚表面から出力すること、及び水平棚表面上に位置する１つ以上の単位商品を出力すると共に、これらの単位商品を補助出力装置へ移送することである。
【００１１】
従って、本発明による取り次ぎ装置では、二種類の保管スペース、即ち、第２保管棚列の保管棚と第１棚列の水平棚表面が組み合わされる。高い出力頻度を有する医薬品パッケージは、保管シャフトの中で種類別に保管される。保管シャフトの中に保管されるべき医薬品パッケージの余分な供給品（換言すれば、保管シャフトに位置する単位商品に追加されるある量）は、水平棚表面上に置くことが可能であり、又は、保管シャフトの中に保管できない、若しくは出力できない医薬品パッケージは、それによって、水平棚表面上に置くことが可能である。更に、水平棚表面上に位置する又は保管することが可能な医薬品パッケージは、それらの出力頻度が保管シャフトに保管するには低すぎるものか、それらの重量が重すぎるものか、又は寸法に基づいて利用できる保管シャフトが存在しないものである。
【００１２】
高い出力頻度を有する単位商品は、保管シャフトを経由して出力される。しかしながら、保管シャフトを経由して出力できない単位商品、又は低い出力頻度のために、傾斜したシャフトの中に保管されない商品を出力することを可能にするために、本発明による装置は補助出力装置を備え、その補助出力装置には、前記単位商品を、動作ユニットを使用して送り込むことが可能である。単位商品は、その後、この補助出力装置を経由して、補助出力経路に沿って、取り次ぎ装置から外に移動される。
【００１３】
本発明による取り次ぎ装置は、従って、（保管シャフトにおいて）高い出力頻度を有する単位商品（医薬品パッケージ）を、保管すると共に出力することを可能にし、それと同時に、低い出力頻度を有する単位商品、又は単一の取り次ぎ装置において、傾斜した保管シャフトを使用して一緒に出力できない商品を、取り次ぎ装置の出力速度を減少させることなく、出力することを可能にする。高い出力頻度を有する単位商品は、保管シャフトを用いて出力することが可能であり、ここで保管シャフトの各々は、ゲートを備えており、これと同時に、水平棚表面上に保管された単位商品は、動作ユニットを使用して、補助出力装置を経由して出力することが可能である。
【００１４】
シャフトの中に（及び、必要ならば、余分な供給品として水平棚表面上に）保管される単位商品は、ここでは「シャフト商品」と呼ばれる。上で述べた条件の故に、水平棚表面上に保管される単位商品は、「棚商品」と呼ばれる。本発明は、主として、医薬品パッケージに関連して説明される。しかしながら、他の種類の単位商品も、本発明による取り次ぎ装置を使用して処理することが可能である。
【００１５】
ゲートを解放すると共に、（例えば、シャフトが水平である場合）保管シャフトに関連付けられた適切な装置を使用して、単位商品をシャフトから外へ移動させることによって、単位商品は、保管シャフトから出力される。
【００１６】
取り次ぎ装置の好ましい実施形態において、第２棚列の棚表面は、傾斜部において通路から下方に離れるように設計される。換言すれば、保管シャフトは、傾斜した保管シャフトとして設計される。これによって、保管シャフトに関連付けられたゲートを単に開くことによって、単位商品を出力することが可能になる。保管シャフトの傾斜による重力によって、単位商品は、保管シャフトから外へ落下し、そして出力装置の上に落ちる。他の実施形態において、第２棚列は、棚を水平棚表面と組み合わせると共に、棚を傾斜した棚表面と組み合わせる。
【００１７】
既に注意したように、通路は、第１棚列と第２棚列との間に形成され、そこでは動作ユニットは、通路の中で水平に移動可能であり、且つ対応する案内手段の上で垂直に移動可能である。水平棚表面から（傾斜した）保管シャフトへ単位商品を容易且つ迅速に移動させるために、即ち、余分な供給品から、単位商品が最終的に出力される保管場所へ単位商品を移動させるために、好ましい実施形態は、次のことを提供する。即ち、動作ユニットの把持装置は、対向する負荷縁部を有する水平保持表面と、水平棚表面の上に入力する、及び水平棚表面から出力するための把持部と、保持表面の上に単位商品を押し込むための押し込み装置とを有し、そこでは単位商品のための輸送経路が負荷縁部の間に形成され、且つ保持表面は通路の幅全体にわたって延在し、その結果、保持表面の負荷縁部は、水平棚表面又はシャフトの負荷縁部に揃い、それによって、単位商品は、水平棚表面の上に、又は水平棚表面から移動する、又は、保持表面から、シャフトの中に移動することが可能であり、その際、保持表面を移動させることはない。これは、保持表面の幅を、通路の幅に揃えることによって達成される。換言すれば、保持表面の負荷縁部と棚列の端部／負荷縁部との間の距離を、負荷縁部の間のギャップの中に単位商品を無理に押し込むことができないほど小さく保つことによって、しかし動作ユニットが通路の中で自由に移動できないほどには小さくないように保つことによって達成される（幾つかの棚表面は、他の棚表面よりも、通路の中にわずかに広く延在できることに留意されたい）。
【００１８】
従って、本発明による実施形態では、同じ負荷縁部を越えて保管シャフトへ単位商品を送り込むために、単位商品を保持表面へ移動させた後に、把持装置を水平旋回軸の周りに旋回させる必要はない。本発明による実施形態では、商品が把持部を経由して保持表面へ移動された後、押し込み装置を使用して、単位商品をシャフトへ移動することが可能になる。この目的のために、本発明によれば、輸送経路は、保持表面の負荷縁部の間に設けられる。本発明による実施形態では、それによって、単位商品を、水平棚表面から保管シャフトまで、又は補助出力装置まで、非常に迅速に送り込むことが可能になる。
【００１９】
時折、例えば、単位商品が最終的に出力される保管シャフトにより近い商品を移動するために、保管シャフトの中に保管された単位商品に対する余分な供給品として、水平棚表面の上に保管された単位商品を移送することは望ましいであろう。保持表面から水平棚表面までの単位商品の移動を支援するために、好ましい実施形態は、次のことを提供する。即ち、押し込み装置は、反対方向にある保持表面から、例えば、ある場合には、保管シャフトまで、及び他の場合には、水平棚表面の上まで、単位商品を移動させるための２つの押し込み手段を備える。
【００２０】
特に単純な構造を有する一実施形態において、把持装置の押し込み手段は、保持表面の切り込みの中で、且つ切り込みよりも下に、移動することが可能である。この好ましい実施形態において、押し込み手段は、把持装置上のある点に配設され、且つその点で移動可能であり、ここで把持装置は、その他の点では、他の構成要素が無い。把持部は、通常、（もし把持部が顎型の把持部である場合）保持表面の側面に位置し、その結果、把持装置の個々の構成部品の良好な分布が、本発明による実施形態によって達成される。
【００２１】
押し込み手段は、保持表面上に位置する単位商品を、保管シャフト及びその他の場所へ送り込むために使用される。傾斜した保管シャフトにおいては、単位商品は、ゲートまで又は、重力の力によって保管シャフトの中に既に位置する単位商品まで、滑り下りる。単位商品が、重力の力によって傾斜した保管シャフトの中へ滑ることを保証するために、特に、非常に小さな且つ／又は軽い単位商品の場合、好ましい実施形態は、次のことを提供する。即ち、押し込み手段は、押し込み指部を備え、この押し込み指部は、負荷縁部を越えて移動させることが可能である。このことは、単位商品を保持表面から傾斜した保管シャフトまで移動させる場合、単位商品の重力中心が、負荷縁部を越えて移動され、その結果、単位商品は、傾斜した保管シャフトまで滑り下りることを保証する。
【００２２】
異なる寸法の単位商品が保管されることを可能にするため、好ましい実施形態は、次のことを提供する。即ち、第２棚列の傾斜した棚表面は、異なる高さの保管シャフトが形成されるように構成される。
【００２３】
補助出力装置を使用して出力される単位商品は、（例えば、形状のために）傾斜した保管シャフトを使用して出力されないもの、又は出力頻度が非常に低いため、保管シャフトの中に保管することが意味をなさないようなもの、のいずれかであり得る。補助出力装置は、例えば、第２棚列に隣接した滑り台として設計することが可能である。単位商品は、動作ユニットから、実際の出力装置まで導かれるか、又は取り次ぎ装置から外へ導かれることが可能である。しかしながら、補助出力装置の設計の複雑さを可能な限り低く保つために、好ましい実施形態では、補助出力装置は、第２棚列の棚表面上に形成される。この好ましい実施形態では、それ故に、棚表面の一部は、保管シャフトとして提供されず、むしろ補助出力装置は、このエリアの中に形成される。この実施形態では、補助出力装置は、それ故に、スタンドアロンの構成要素によってではなく、現存する構成要素によって具体化される。この点において、特に好ましい実施形態では、補助出力装置は、ゲートを持たない傾斜した保管シャフトとして設計される。
【００２４】
本発明の目的は、特許請求項１０に記載のプロセスによって、更に達成される。本発明によれば、取り次ぎ装置の制御ユニットによる、１つ以上の単位商品に対する出力要求（ある数の単位商品を出力するための要求）に反応して、出力されるべき少なくとも１つの単位商品が、シャフト商品であるか否か、又は棚商品であるか否かについて決定がなされる。出力要求は、当業者にとっては既知である経路を通して、例えば、ケーブル接続又は無線ネットワーク接続によって、制御ユニットへ送信することが可能である。
【００２５】
出力されるべき少なくとも１つの単位商品が、シャフト商品であるか否か、又は棚商品であるか否かについての決定がなされた後、もしそれが棚商品である場合、出力要求に対応する数の単位商品が、動作ユニットによって集められ、且つ補助出力装置へ移送される。この目的のために、対応する数の単位商品は、動作ユニットの把持部を使用して保持表面に移動され、且つ、その後、単位商品を出力する補助出力装置へ移送されるか、又は出力が、取り次ぎ装置の実際の出力装置を経由する場合もある。代わりに、取り次ぎ装置はまた、補助出力装置が除去ポイントで終点となるように構成することが可能である。換言すれば、出力が、実際の出力装置の任意の中間的切り替え無しで実行されるように、取次ぎ装置を構成することが可能である。ただ１つの単位商品、又は複数の単位商品（この場合、棚商品）は、出力要求に従って出力することが可能であり、そこでは出力は、取り次ぎ装置の正確な構成に依存して、連続して起こる、又は平行して起こることが可能である。もしただ１つの動作ユニットが存在する場合、各単位商品が個々に出力されるか、又は最初に全ての単位商品が（必要ならば、異なる水平棚表面から）保持表面まで移動されるか、のいずれかが起こり、その後、保持表面から補助出力装置へ、一緒に移送される。
【００２６】
もし出力されるべき単位商品が、シャフト商品である場合（換言すれば、保管シャフトの中に普通に保管される単位商品である場合）本発明によれば、出力要求に対応する数の単位商品が、保管シャフトの中に保管されているかどうかについて、最初に決定がなされる。もしそうであれば、出力要求に対応する数の単位商品が、出力装置の上に出力され、且つ、そこから装置の外へ出力されるが、この出力は、単位商品が保管される保管シャフト（複数可）のゲート（複数可）を作動させることによって、及び、必要ならば、保管シャフトの外へ単位商品を移動させるための対応する装置を作動させることによって行われる。
【００２７】
出力要求に対応する数の単位商品が保管シャフトの中に保管されていない場合については、水平棚表面の上に保管された複数の単位商品（余分な供給品からの商品）は、動作ユニットによって掴まれ、且つ出力要求に対応する数の単位商品が出力される。
【００２８】
複数の単位商品は、正確に、要求される数の単位商品であり得、これらが、その後、出力される。しかしながら、要求される数よりも多い単位商品は、余分な供給品から除外することが可能である。要求される単位商品が出力され、且つ余分な単位商品が、続いて起こる出力要求のために、保管シャフトへ移動される。
【００２９】
要求される数の単位商品が、保管シャフトの中で部分的にのみ利用可能であるというのは、あり得ることであり、そして、この場合、保管シャフトの中で依然として利用可能である、要求される単位商品の部分は、シャフトを使用して出力し、そして残りの部分は、水平棚表面から除去し、且つ出力することが可能である。
【００３０】
保管シャフトの中に保管されていない単位商品は、動作ユニットを補助出力装置まで移動させると共に、出力要求に対応する数の単位商品を補助出力装置へ移送し、且つそれらを出力することによって、出力される。
【００３１】
代わりに、保管シャフトの中に保管されていない単位商品は、動作ユニットを保管シャフトまで移動し、全ての単位商品を保管シャフトへ移送し、且つ傾斜した保管シャフトのゲートを作動させることによって出力されるが、それによって、出力要求に対応する数の単位商品を、（傾斜した保管シャフトに対する重力の力によって、又は水平保管シャフトのための対応する装置を使用することによって）出力することが可能である。更に想像できることであるが、もし保管シャフトの中に保管された単位商品の数が、出力要求に対応しない場合、出力要求に対応する複数の単位商品が、動作ユニットを使用して、水平棚表面から（余分な供給品から）除去され、出力要求に対応する数の単位商品が、（補助出力装置を使用して、又は保管シャフトを使用して）出力され、且つ把持装置の保持表面上に依然として位置する単位商品は、傾斜した保管シャフトへ移動される。この場合、要求される単位商品は、１つのことに対して出力され、且つ、加えて、他の単位商品は、傾斜した保管場所に置かれる。入力装置は、次のように設計される。即ち、保管シャフトを満たすために、複数の同一の単位商品が、互いに隣接して配置され得るように設計される。即ち、入力装置は、通常の単位商品よりも大幅に広い（通常の単位商品の幅の５〜８倍である）。代わりに、単位商品はまた、特に棚商品が入力される場合、入力装置上に個々に置くことが可能である。
【００３２】
以下では、本発明による装置及びプロセスが、添付図面を参照しながら、より詳細に説明される。
【図面の簡単な説明】
【００３３】
【図１】本発明による取り次ぎ装置の第１実施形態の斜視図である。
【図２】図１に示された実施形態の断面図である。
【図３】実施形態の別の斜視図である。
【図４】実施形態の背面図である。
【図５】実施形態の正面図である。
【図６】実施形態の側面図である。
【図７】動作ユニットの把持装置の詳細図である。
【図８】把持装置の別の詳細図である。
【図９】傾斜した保管シャフトの下部エリアの詳細図である。
【図１０】本発明による取り次ぎ装置の第２実施形態の斜視図である。
【図１１】保管シャフトの近くの、第２実施形態の詳細図である。
【図１２ａ−ｂ】本発明による取り次ぎ装置の概略図であり、本発明によるプロセスの様々な実施形態の１つを説明する図である。
【図１３ａ−ｂ】本発明による取り次ぎ装置の概略図であり、本発明によるプロセスの様々な実施形態の１つを説明する図である。
【図１４ａ−ｂ】本発明による取り次ぎ装置の概略図であり、本発明によるプロセスの様々な実施形態の１つを説明する図である。
【図１５ａ−ｂ】本発明による取り次ぎ装置の概略図であり、本発明によるプロセスの様々な実施形態の１つを説明する図である。
【発明を実施するための形態】
【００３４】
図１は、本発明による取り次ぎ装置１の斜視図を示し、そこでは、枠組構造２のほとんど及び外部パネル３のほとんどのような、幾つかの重要でない要素は省かれている。取り次ぎ装置１は、複数の棚を有する第１棚列１０を備え、第１棚列１０の各々は、水平面内に延在する、上下に配設された複数の棚表面１１を備える（そこでは、１つの棚表面１１だけが図１に示され、他の棚表面は、示された棚表面の上方に配設される）。第１棚列１０の個々の棚は、棚壁１２及び、上で述べたような複数の棚表面１１によって形成される。図示された実施形態では、棚表面の全ての端縁部（負荷縁部）は、垂直平面内に位置し、即ち、全ての棚表面は、取り次ぎ装置の中まで均等に延在する。
【００３５】
図１に示された取り次ぎ装置の実施形態は、２つの入力装置６０、６１を備え、これらの入力装置は、この実施形態において、搬送ベルトとして設計され、且つ第１棚列に統合される。即ち、２つの入力装置６０、６１の上方及び下方には棚が設けられ、これらの棚は、水平棚表面１１を備える。入力装置は、自身の装置が、（装置の幅のために）上述の垂直平面と同じ高さで終点となるように、配設されると共に寸法取りされる。入力装置及び棚表面の対応する配置によって、入力装置から単位商品を除去し、且つ棚表面上に単位商品を置くことが、特に容易になる。
【００３６】
第１棚列１０の向かい側には第２棚列２０があり、第２棚列２０は、傾斜した棚表面２１を有する複数の棚を備え、図示された実施形態では、簡単のために、１つの傾斜した表面２１だけが示されている。図示された実施形態では、取り次ぎ装置に調整された、傾斜した棚表面の端縁部（負荷縁部）はまた、垂直平面で終点となり、そこでは、この平面は、水平棚表面の端縁部によって画定される平面に対して、平行に延びる。
【００３７】
複数の保管シャフト２２が、各棚表面２１上に形成され、各シャフトは、保管シャフト２２の中に置かれている単位商品を保持すると共に解放するための、シャフトの下方端部２４にあるゲート２３を有する（ゲートは、図１に示されていない制御ユニットに結合される）。傾斜した棚表面の下方には出力装置７０があり、傾斜した保管シャフトのゲートが作動されると、出力装置７０の上に、傾斜した保管シャフトに位置する単位商品が落下し、且つ、このことによって、要求される単位商品が、取り次ぎ装置の外へ移動される。図１に示された実施形態では、出力装置７０はまた、搬送ベルトとして設計される。
【００３８】
第１棚列１０と第２棚列２０との間には通路３０があり、通路３０の幅は、２つの垂直平面の間の距離によって画定され、且つ通路３０の中に、動作ユニット４０が、対応する案内手段において、水平及び垂直に進むことが可能である。そこでは、図１において、特に動作ユニット４０の水平案内手段４１を見ることができる。
【００３９】
本発明による取り次ぎ装置１は、補助出力装置８０を更に備え、補助出力装置８０は、単位商品、特に傾斜した保管シャフトに保管されない単位商品を出力することを可能にする。ここで傾斜した保管シャフトに保管されない理由は、（例えば、形状のために）商品をシャフトの中に保管できない、又は、商品がほとんど出力されない、若しくは要求されないため、傾斜した保管シャフトの中にこれらの単位商品を入力することは意味をなさないためである。ここで意味をなさないのは、シャフトが頻繁に要求される単位商品によって占有されることの方が、より良いからである。図示された実施形態では、補助出力装置８０は、傾斜した棚表面２１上に形成され、実際に、保管シャフトとして設計されるが、その下方端部はゲートを有さない。もし単位商品が、補助出力装置８０を経由して出力される場合、商品は、動作ユニット４０（これは、以下でより詳しく説明される）によって、水平棚表面１１から除去され、且つ補助出力装置８０へ送り込まれ、補助出力装置８０に沿って、単位商品は、出力装置７０上に滑って移動する。代替的実施形態において、補助出力装置はまた、例えば「スタンドアロン」構成要素として、第２棚列に隣接して配設することが可能である。このことは、次のような場合に不可欠である。即ち、保管され、且つ補助出力装置を経由して出力される単位商品が、その配置のために、傾斜した棚表面の間で出力されるのを妨げるような寸法を有する場合である。
【００４０】
図２は、図１に示された実施形態の断面図であり、この図では、取り次ぎ装置の上半分が省かれている。この断面図では、特に、第１棚列の水平棚表面１１の配置を見ることができる。水平棚表面１１の端部及び出力装置６０、６１の側面は、全て１つの平面内にあることが、更に明らかである。この図で見ることができるように、各出力装置６０、６１は、入力装置上に置かれている単位商品に関するデータ（単位商品の寸法、単位商品の同一性、単位商品の数など）を決定するための、関連識別装置１００を備える。更に見てとれることであるが、各入力装置６１、６０は、取り次ぎ装置の先導面を超えて突出する外側エリア６２を備え、外側エリア６２の上には、入力されるべき単位商品が、入力のために置かれる。そこでの通常プロセスは、複数の同一の単位商品が置かれるようなものである。同一の単一商品は、入力装置を使用して、取り次ぎ装置の中に移動される。取り次ぎ装置においては、もし商品が同一の単位商品であり、且つ傾斜した保管シャフト又は水平棚保管部１１へ送り込まれる場合、商品は、動作ユニットによって、入力装置から一緒に除去される。
【００４１】
この図では、例として、少数の単一商品だけが示されている。水平棚表面上には、少数の棚タイプの単位商品７が配置されている。４つの棚タイプの単位商品６が、上部入力装置の上に示されている。ここで、特にシャフトを、入力装置の上に、いかにして有利に置くかを見ることができる。即ち、同一の商品は全て１つの列にあり、その結果として、全ての４つの単位商品を、動作ユニットによって掴み、且つ同時に、予め決められた傾斜した保管シャフトへ移動させることが可能である。
【００４２】
図３は、図１で既に示された実施形態の代わりとなる斜視図を示し、この図は別の側から取り次ぎ装置を示している。他の点では、図１及び図３による図の間に違いはない。
【００４３】
図４は、本発明による取り次ぎ装置の実施形態の背面図であり、外部パネルは省かれた状態で、取り次ぎ装置の内部が見えている。２つの棚列１０、２０が、互いに向かい合って配設されているのを見ることができ、簡単のため、第２棚列２０の１つの棚表面２１だけが示されている。第１棚列と第２棚列との間に通路３０が形成され、通路３０の中で、動作ユニット４０が水平及び垂直に進むことが可能であり、この図は、特に動作ユニットのための垂直案内手段４２を示す。動作ユニット４０は、とりわけ、把持装置５０を備え、把持装置５０は、背面図で容易に見ることができる。把持装置は、通路３０を完全に横切り、それによって、第１棚列と第２棚列との間の距離を横切ることが可能である（もちろん、通路における運動の自由度を保証しながら）。この描写で容易に見ることができるように、第２棚列２０の傾斜した棚表面２１は、通路から出力装置７０まで外側に離れるように傾斜している。この描写では、把持装置５０を使用して、入力装置６０及び６１の両方へのアクセスが可能であることも見られる。水平棚表面１１及び、入力装置６０及び６１は、同じ垂直平面に対して上に延在する。同じことが、傾斜した棚表面２１の全てに当てはまる。
【００４４】
図５は、本発明による取り次ぎ装置の正面図である。この正面図で見ることができるように、入力装置６０、６１は両方とも、表示ユニット１１０の下方で、上下に配設される。表示ユニット１１０を使用して、取り次ぎ装置についての様々な種類の情報を表示することが可能であり、且つ表示ユニット１１０は、入力装置（図示せず）に結合される。入力装置６０、６１の下方には制御ユニット９０があり、制御ユニット９０は、取り次ぎ装置のパネル３の一部によって覆われる。制御ユニット９０は、とりわけ、入力装置、出力装置、表示ユニット、及び動作ユニット４０に結合される。
【００４５】
ドア開口部４が、取り次ぎ装置の正面側に設けられるが、ドア開口部４は、障害の場合又はメンテナンス目的のために、取り次ぎ装置に入るためのものである。取り次ぎ装置の正面側には別の開口部５が設けられるが、開口部５を通って、出力装置７０の一部が延在する。換言すれば、開放部５を通って、単位商品が、取り次ぎ装置から外へ移動される。
【００４６】
図６は、以前の図で既に示された、本発明による取り次ぎ装置の実施形態の側面図を示す。この描写もまた、重要でない構成要素を省いている。背面が示された第１棚列において、この描写では、水平棚表面１１を有する２つの棚が並んで配設される。個々の棚表面の間の距離は、棚の範囲内で変更さえも可能であることが見てとれる。入力装置６１、６０及び出力装置７０は両方とも、装置の正面側を超えて外に延在し、除去エリア７１及び２つの保持エリア６２、６３で終点となることが見られる。
【００４７】
図７は、第１（右）棚列と第２（左）棚列との間の把持装置の配置と同様に、動作ユニット４０の把持装置５０の詳細図を示し、棚列の棚表面１１、２１が見られる。動作ユニットの把持装置５０は保持表面５１を備え、保持表面５１は、図示された実施形態において単純な保持テーブルの形をしている。保持表面の向かい合う端部には、２つの負荷縁部５２、５３が配設され、負荷縁部は、第１棚列及び第２棚列のそれぞれの棚表面１１、２１の端縁部／負荷縁部のちょうど前で終点となる。換言すれば、第１棚列及び第２棚列の間の通路３０は、ほぼ完全に横切られるが、しかし通路における動作ユニットの運動の自由度は維持されている。保持テーブル及び保持表面の対応する構成によって、単位商品を水平棚表面から除去し、且つこれらの商品を、保持表面の上で、又は保持表面を越えて、傾斜したシャフト２２まで直接押し込むことが可能になる。その際、保持テーブルまたは把持装置を、棚列の１つまで移動させる必要はない。
【００４８】
単位商品を除去すると共に移動させるために、把持装置５０は把持部５４を備える。把持部５４は、図示された実施形態における２つの把持顎５４ａ、５４ｂを有する顎タイプの把持部として設計され、そこでは把持部の２つの把持顎５４ｂの少なくとも１つは旋回可能であり、その結果として、単位商品は、把持顎５４ａ、５４ｂの間に留めることが可能であり、且つ、それによって、水平棚表面１１から、把持装置の保持表面５１の上に引っぱられる。この目的のために、把持部は、把持顎を棚の中に押し込むことが可能なように設計され、そこでは、棚の中への挿入深さは、いくつの単位商品が、対応する棚表面から除去されるべきかに依存する。
【００４９】
単位商品を保持表面５１から傾斜した保管シャフト２２まで移動させるために、把持装置５０は、図示された実施形態における押し込み装置５５を備える。押し込み装置は、２つの押し込み部５５ａ、５５ｂを備え、これらの押し込み部は、保持表面の切り込み５１ａの中で移動可能である。更に、図示された実施形態における押し込み部５５ａ、５５ｂは、それらが保持表面の平面の下で移動され得るように配設される。押し込み部５５ａで見ることができるように、押し込み部は、押し込み指部５６ａ、５６ｂを備え、これらの指部は、それぞれの負荷縁部を越えて移動され得る。押し込み指部５６ａ（これは、負荷縁部５２に関連付けられる）を参照すると、これは、押し込み指部が負荷縁部５２を越えて移動され得ることを意味する。このことは特に重要である。その理由は、単位商品を、水平棚の上に押し込むことが可能であり、その結果として、商品は、水平棚表面の前方負荷縁部１１ａを越えて突出しないからである。
【００５０】
押し込み部５５ｂに関してあるが、これは負荷縁部５３に関連付けられ、負荷縁部５３は、今度は第２棚列に関連付けられ、負荷縁部５３を越えて移動させることが可能な押し込み指部５６ｂは、保持表面５１上に置かれている単位商品を保管シャフトに押し込むことが可能であり、それによって、単位商品の重力中心は、傾斜した棚表面２１の負荷縁部５３を越えて押し込まれ、その結果として、単位商品は、重力の力によって、傾斜した保管シャフトの中をゲート（この描写では示されない）まで、又は保管シャフトの中で既に位置する単位商品まで、確実に滑る。
【００５１】
図８は、把持装置５０の別の詳細図を示す。この図で、特に認識できるのは、押し込み部５５ａ、５５ｂが保持表面５１における切り込み５１ａの内部で移動できることである。この描写では、押し込み部５５ａの押し込み指部５６ａは、負荷縁部５２を越えて移動可能であることが更に見てとれる。
【００５２】
図８では、動作ユニットの把持装置５０は、単位商品が入力装置６０から除去され得るような方法で配置される。そうするために、押し込み部５５ａ、５５ｂは、もちろん、保持表面の平面の下で移動されなければならない。図８における押し込み部の配置及び描写は、単に例証目的のものであり、押し込み部は、取り次ぎ装置が動作している間、位置決めされない。
【００５３】
図９は、傾斜した棚表面２１上に形成された、複数の傾斜した保管シャフト２２の詳細図を示す。個々の保管シャフト２２は、分離壁２５によって、互いに分離されており、分離壁２５は、傾斜した棚表面２１上で互いに対して平行に配設される。傾斜した保管シャフト２２の各々の下方端部にはゲート２３があり、このゲート２３によって、個々の単位商品を、傾斜した保管シャフトから外へ出力することが可能になる。保管シャフトから出力される単位商品は、傾斜した保管シャフト及び出力装置７０の配置のおかげで、出力装置７０の上に落下し、且つ、それによって、取り次ぎ装置の正面側にある開口部を通って出力される。
【００５４】
また、図示された傾斜した棚表面２１上には、補助出力装置８０が配設され、補助出力装置８０を経由して、特に棚商品を水平棚表面から出力することが可能である。代替的実施形態において、補助出力装置はまた、２つ以上の保管シャフト幅を備えるか、又は、例えば、別の構成要素として、第２棚列に隣接して配設することが可能である。ここに示されるような補助出力装置は、受動的出力装置であり、換言すれば、単位商品は、出力装置自体による運動を経由して、移動されるわけではない。代わりに、補助出力装置はまた、能動的出力装置として構成することが可能であり、これは、例えば、必要ならば、取り次ぎ装置から外へ直接導くことが可能な搬送ベルトとしての装置である。
【００５５】
図１０は、第２実施形態の斜視図を示し、この実施形態においては、水平保管シャフト２２’が使用される。他の構成要素は、実質的に第１実施形態の構成要素に対応し、そのため、詳細な説明を提供する必要は無い。図１１は、第２実施形態の第２棚列２０の棚の棚表面の詳細図を示し、そこでは棚表面２１は、水平となるように設計される。棚表面の端部２４にはゲート２３があり、ゲート２３は、各保管シャフト２２’に関連付けられるが、各保管シャフト２２’は、制御ユニットを経由して別々に動作させることが可能である。
【００５６】
この実施形態では、第２棚列２０は、保管シャフト２２’の中の単位商品を移動させるための搬送装置２５を備える。図示された実施形態では、搬送装置２５は、保管シャフトの表面の下にある搬送ベルトとして設計され、そこでは保管シャフトの表面は切り込みを有し、この切り込みを通して、搬送装置の一区画は少なくとも複数の区画に広がり、その結果として、保管された単位商品と搬送装置との間に接触が生じる。もし単位商品が出力される場合、ゲート２３（又は複数のゲート）が開放され、且つ搬送装置が作動される。搬送装置は、棚表面の全ての保管シャフトに対して作用するが、しかし開放されないゲートを有する保管シャフトがある場合、単位商品は、単にゲートに対して近づくように移動するが、しかし出力されない。
【００５７】
また、単位商品を出力するための、当業者にとっては既知である他のプロセスが存在する。例えば、各保管シャフトに搬送装置を割り当てることが可能であるが、その搬送装置は押し込み部として設計することが可能であり、換言すれば、単位商品はシャフトから外へ押し出される。
【００５８】
以下では、図１２ａ、図１２ｂから図１５ａ、図１５ｂを参照しながら、本発明によるプロセスの幾つかの実施形態が説明されるが、これらの図の各々は、異なるそれぞれのプロセスステップを概略的に示している。図は非常に単純化され、且つ本質的な特徴だけが、図示されると共に説明される。
【００５９】
図１２ａ及び図１２ｂは、プロセスの第１実施形態の２つの段階を示す。本発明によれば、制御ユニットは、先ず、出力されるべき少なくとも１つの単位商品が、シャフト商品であるか否か、又は棚商品であるか否かを決定するが、前記決定は、出力要求に反応して生じる。典型的な実施形態では、水平棚表面１１”上に保管された棚商品７が、出力要求を介して、要求される。把持装置５０は、その後、水平棚表面１１”へ移動される。把持装置５０が正しく位置決めされるや否や、問題の単位商品が掴まれ、且つ保持表面へ移送される。把持装置は、補助出力装置８０へ移動され、且つ、把持装置５０が正しく位置決めされるや否や、単位商品７は、補助出力装置８０の上に押し込まれ、且つそこから出力装置７０へ進み、出力装置７０は、単位商品を取り次ぎ装置から外へ移動させる。
【００６０】
図１３ａ及び図１３ｂに示された実施形態では、出力要求は、４つのシャフト商品に対するものである。この種類の単位商品は、通常、傾斜したシャフト２２’の中に保管される。しかしながら、制御ユニットは、１つの単位商品６’だけが、傾斜したシャフト２２’の中に存在することを既に決定している。把持装置は、その後、棚表面１１’へ移動され、そこで、出力要求を満足する４つの単位商品が、余分な供給品として保管される。全ての４つの単位商品６’が、把持装置によって掴まれる。傾斜した保管シャフト２２’の中には、１つの単位商品６’だけが存在することが決定されたので、しかし出力要求は４つの単位商品に対するものであり、把持装置５０は、補助出力装置８０まで移動し、且つ把持装置５０の上に位置する全ての単位商品６’が、補助出力装置８０及び出力装置７０を使用して出力される。
【００６１】
図１４ａ及び図１４ｂに示された実施形態では、出力要求は、通常は傾斜した保管シャフト２２’の中に保管される２つの単位商品に対するものである。しかしながら、制御ユニットは、傾斜した保管シャフト２２’が空であることを、既に決定している。出力要求を満足する４つの単位商品６は、把持装置５０を使用して、水平棚表面１１’から除去される。その後、把持装置は、傾斜した保管シャフト２２’の前へ移動され、且つ把持装置５０上に置かれている全ての単位商品６は、傾斜したシャフト２２’へ移動される。しかしながら、出力要求は２つの単位商品６だけを含んだため、２つの単位商品だけが出力され、且つ他の２つの商品は、傾斜した保管シャフト２２’の中に止まる。
【００６２】
図１５ａ及び図１５ｂに示された代替的実施形態では、２つの単位商品が再び要求され、且つ出力要求を満足する単位商品は、傾斜した保管シャフト２２’の中には無いことが、再び決定される。その後、４つの単位商品６が、把持装置５０を使用して、水平棚表面１１’から掴まれる。しかしながら、以前の典型的な実施形態と対照的に、把持装置は、先ず補助装置８０へ移動され、且つ把持装置５０の上に位置する４つの単位商品の２つが、補助出力装置を使用して出力される。残りの２つの単位商品を有する把持装置５０は、傾斜した保管シャフト２２’へ移動され、且つ残りの２つの単位商品は、傾斜した保管シャフトへ移動され、そこで残りの２つの単位商品は、次の対応する出力要求があるまで止まる。
【００６３】
使用される、本発明によるプロセスの変形例は、動作装置上の負荷、及び保管状況に依存する。各場合において、現在の出力要求に対して、最適な出力変化が、制御ユニットによって決定される。
【図１】
2018501168.tif 000003
【図２】
2018501168.tif 000004
【図３】
2018501168.tif 000005
【図４】
2018501168.tif 000006
【図５】
2018501168.tif 000007
【図６】
2018501168.tif 000008
【図７】
2018501168.tif 000009
【図８】
2018501168.tif 000010
【図９】
2018501168.tif 000011
【図１０】
2018501168.tif 000012
【図１１】
2018501168.tif 000013
【図１２ａ】
2018501168.tif 000014
【図１２ｂ】
2018501168.tif 000015
【図１３ａ】
2018501168.tif 000016
【図１３ｂ】
2018501168.tif 000017
【図１４ａ】
2018501168.tif 000018
【図１４ｂ】
2018501168.tif 000019
【図１５ａ】
2018501168.tif 000020
【図１５ｂ】
2018501168.tif 000021
【国際調査報告】
2018501168.tif 000022
2018501168.tif 000023
2018501168.tif 000024
2018501168.tif 000025
2018501168.tif 000026
2018501168.tif 000027